(57)【要約】【課題】機密文書のたとえばコピーやファクシミリによる社外への漏洩を有効に防止することができる画像処理装置、画像処理方法、画像処理プログラム、および画像処理プログラムを記憶した記録媒体を提供する。【解決手段】原稿画像取得手段と、出力禁止用背景ドットパターンを記憶する背景ドットパターン記憶手段と、内部情報と外部からの入力情報とをログとして記録するログ記録手段と、前記原稿画像の画像データに含まれる背景画像に埋め込まれた背景ドットパターンを前記画像データから検出する背景ドットパターン検出手段と、前記背景ドットパターン検出手段により検出した背景ドットパターンを、前記背景ドットパターン記憶手段に記憶されている出力禁止用背景ドットパターンと比較し、両背景ドットパターンに同一性があるときに当該原稿画像が機密文書であると判定する機密文書判定手段とを備えたことを特徴とする。【選択図】    図３
2004201068.tif 000002
【特許請求の範囲】
【請求項１】
原稿画像の画像データを取得する原稿画像取得手段と、
出力禁止用背景ドットパターンを記憶する背景ドットパターン記憶手段と、
内部情報と外部からの入力情報とをログとして記録するログ記録手段と、
前記原稿画像の画像データに含まれる背景画像に埋め込まれた背景ドットパターンを前記画像データから検出する背景ドットパターン検出手段と、
前記背景ドットパターン検出手段により検出した背景ドットパターンを、前記背景ドットパターン記憶手段に記憶されている出力禁止用背景ドットパターンと比較し、両背景ドットパターンに同一性があるときに当該原稿画像が機密文書であると判定する機密文書判定手段と、
を備えたことを特徴とする画像処理装置。
【請求項２】
原稿画像取得手段は、原稿画像読取り手段であることを特徴とする請求項１に記載の画像処理装置。
【請求項３】
原稿画像取得手段は、通信手段であることを特徴とする請求項１または２に記載の画像処理装置。
【請求項４】
原稿画像データの画像を出力する画像出力手段および当該画像出力手段からの画像出力を禁止する画像出力禁止手段を備え、前記機密文書判定手段による判定の結果、前記両背景ドットパターンに同一性があると判定されたときは、前記画像出力禁止手段は前記画像出力手段による出力処理を禁止することを特徴とする請求項１から３の何れか記載の画像処理装置。
【請求項５】
視覚警告手段を備え、前記機密文書判定手段が、前記原稿画像の画像データが前記画像出力手段による出力処理が禁止される画像データと判断したときは、前記視覚警告手段は、画像処理装置のユーザインタフェース、オペレーションパネル操作部に視覚警告メッセージを出力することを特徴とする請求項１から４の何れかに記載の画像処理装置。
【請求項６】
音声警告手段を備え、前記機密文書判定手段が、前記原稿画像の画像データが前記画像出力手段による出力処理が禁止される画像データと判断したときは、前記音声警告手段は、画像処理装置のユーザインタフェースの音声出力部に音声警告メッセージを出力することを特徴とする請求項１から５の何れかに記載の画像処理装置。
【請求項７】
前記ログ記録手段は、読取り時刻および／または画像処理装置の機番の内部情報を記録することを特徴とする請求項１から６の何れかに記載の画像処理装置。
【請求項８】
前記ログ記録手段は、原稿画像の縮小簡易画像を記録することを特徴とする請求項１から７の何れか記載の画像処理装置。
【請求項９】
前記ログ記録手段は、ユーザインタフェースにより入力された用紙サイズ、変倍率、画像処理パラメータの少なくとも１つを含む外部入力情報を記録することを特徴とする請求項１から８の何れかに記載の画像処理装置。
【請求項１０】
前記ログ記録手段は、ユーザインタフェースのオペレーションパネルから入力された機密文書検知モード設定、検知閾値の設定、機密文書が検知された場合にオペレーションパネルに警告メッセージを送るか否かの設定、ユーザインタフェースの音声出力部へ警告音を出力するか否かの設定の少なくとも１つを含む初期パラメータ設定情報を記録することを特徴とする請求項１から９の何れかに記載の画像処理装置。
【請求項１１】
前記ログ記録手段は、画像出力禁止手段が画像出力手段からの出力を禁止した場合において、ユーザインタフェースのオペレーションパネルからの操作により出力禁止状態を解除したときは、画像処理装置をリセットしたか、画像を出力させたかの情報を記録することを特徴とする請求項４から１０の何れかに記載の画像処理装置。
【請求項１２】
前記ログ記録手段は、画像を読み取る前にユーザインタフェースのオペレーションパネルによる入力した機密文書検知モード設定、検知閾値の設定、機密文書が検知された場合にオペレーションパネルに警告メッセージを送るか否かの設定、ユーザインタフェースの音声出力部へ警告音を出力するか否かの設定の少なくとも１つを含む初期パラメータを設定するため、管理者権限を認証したときの認証情報を記録することを特徴とする請求項１から１１の何れかに記載の画像処理装置。
【請求項１３】
前記ログ記録手段は、出力禁止状態を解除するための管理者権限を認証したときの認証情報を記録することを特徴とする請求項１から１２の何れかに記載の画像処理装置。
【請求項１４】
前記ログ記録手段は、前記の認証情報はユーザインタフェースのオペレーションパネルによる入力したユーザＩＤとパスワードもしくは外部インタフェースによる接続したＩＣカードの認証情報、もしくは指紋、虹彩、音声、顔などのいずれかまあは全てのバイオメトリクス情報を用いて、管理者権限を認証する装置による認証した情報を記録することを特徴とする請求項１から１３の何れかに記載の画像処理装置。
【請求項１５】
原稿画像の画像データを取得して、当該原稿画像の画像データに含まれる背景画像に埋め込まれた背景ドットパターンを、出力禁止用背景ドットパターンと比較して、両背景ドットパターンに同一性があるときに当該原稿画像が機密文書であると判定して当該原稿画像の出力を禁止する機密文書管理方法において、
内部情報と外部からの入力情報とをログとして記録することで機密文書情報の外部への漏洩を管理することを特徴とする機密文書管理方法。
【請求項１６】
前記ログは、読取り時刻および／または画像処理装置の機番の内部情報を含むことを特徴とする請求項１５に記載の画像処理装置。
【請求項１７】
前記ログは、原稿画像の縮小簡易画像情報を含むことを特徴とする請求項１５または１６に記載の画像処理方法。
【請求項１８】
前記ログは、ユーザインタフェースにより入力された用紙サイズ、変倍率、画像処理パラメータの少なくとも１つを含む外部入力情報であることを特徴とする請求項１５から１７の何れかに記載の画像処理方法。
【請求項１９】
前記ログは、ユーザインタフェースのオペレーションパネルから入力された機密文書検知モード設定、検知閾値の設定、機密文書が検知された場合にオペレーションパネルに警告メッセージを送るか否かの設定、ユーザインタフェースの音声出力部へ警告音を出力するか否かの設定の少なくとも１つを含む初期パラメータ設定情報であることを特徴とする請求項１５から１８の何れかに記載の画像処理方法。
【請求項２０】
前記ログは、ユーザインタフェースのオペレーションパネルから入力された機密文書検知モード設定、検知閾値の設定、機密文書が検知された場合にオペレーションパネルに警告メッセージを送るか否かの設定、ユーザインタフェースの音声出力部へ警告音を出力するか否かの設定の少なくとも１つのを含む初期パラメータ設定情報であることを特徴とする請求項１５から１９の何れかに記載の画像処理方法。
【請求項２１】
前記ログは、画像出力を禁止した場合において、ユーザインタフェースのオペレーションパネルからの操作により出力禁止状態を解除したときは、画像処理装置をリセットしたか、画像を出力させたかの情報であることを特徴とする請求項１５から２０の何れかに記載の画像処理方法。
【請求項２２】
前記ログは、画像を読み取る前にユーザインタフェースのオペレーションパネルによる入力した機密文書検知モード設定、検知閾値の設定、機密文書が検知された場合にオペレーションパネルに警告メッセージを送るか否かの設定、ユーザインタフェースの音声出力部へ警告音を出力するか否かの設定の少なくとも１つを含む初期パラメータの設定をするため、管理者権限を認証したときの認証情報であることを特徴とする請求項１５から２１の何れかに記載の画像処理方法。
【請求項２３】
前記ログは、出力禁止状態を解除するための管理者権限を認証したときの認証情報であることを特徴とする請求項１５から２２の何れかに記載の画像処理方法。
【請求項２４】
前記ログは、前記の認証情報はユーザインタフェースのオペレーションパネルによる入力したユーザＩＤとパスワードもしくは外部インタフェースによる接続したＩＣカードの認証情報、もしくは指紋、虹彩、音声、顔などのいずれかまあは全てのバイオメトリクス情報を用いて、管理者権限を認証する装置による認証した情報であることを特徴とする請求項１５から２３の何れかに記載の画像処理方法。
【請求項２５】
原稿画像の画像データを取得しするステップ、当該原稿画像の画像データに含まれる背景画像に埋め込まれた背景ドットパターンを、出力禁止用背景ドットパターンと比較するステップ、両背景ドットパターンに同一性があるときに当該原稿画像が機密文書であると判定して当該原稿画像の出力を禁止するステップとからなる機密文書管理プログラムにおいて、
内部情報と外部からの入力情報とをログとして記録するステップを有することを特徴とする機密文書管理プログラム。
【請求項２６】
請求項２５に記載のプログラムを記憶したコンピュータに読取り可能な記録媒体。
【発明の詳細な説明】
【０００１】
【発明の属する技術分野】
本発明は、機密文書のたとえばコピーやファクシミリによる社外への漏洩を有効に防止することができる画像処理装置、画像処理方法、画像処理プログラム、および画像処理プログラムを記憶した記録媒体に関する。
【０００２】
【従来の技術】
近年、画像処理技術、画像形成技術の向上によって、デジタルカラー複写機を用いて紙幣や有価証券等を複写した場合、その複写物と原稿（本物）とが容易に区別できないほど忠実な複写が可能となってきている。このため、紙幣や有価証券等のような特殊原稿については、複写を全く行なうことができないようにするか、あるいは正しく複写を行なうことができないようにする措置をとることが必要である。
【０００３】
また、例えば企業においては、紙幣や証券など特殊原稿以外の一般文書の場合にあっても、文書内容の機密保持の観点から、複写が禁止されている機密文書が多数存在する。このような機密文書についても、複写を全く行なうことができないようにするか、あるいは、正しく複写を行なうことができないようにする措置をとることが必要である。
【０００４】
このようなことから、従来、特殊原稿や機密文書等を複写することに規制力を及ぼすことを目的とする種々の発明がなされている。
【０００５】
たとえば、紙幣や有価証券等の特殊原稿を判別する技術として、特許文献１や特許文献２では、入力した画像データと予め登録してある特定のマーク（パターンデータ）とをパターンマッチング法で比較し、特定のマークが存在する場合に原稿が特殊原稿であるとして、その複写を禁止する。
【０００６】
また、複写禁止された機密文書を判別する技術として、例えば、特許文献３や特許文献４では、機密文書に付されたマーク（いわゆる「マル秘」のスタンプマークや複写禁止のマーク等）を検出し、前記マークが存在する場合には、その複写を禁止する。
【０００７】
さらに、複写を禁止したい原稿画像に地紋を埋め込むにより複写を抑制する技術として、特許文献５や特許文献６では、機密文書である原稿画像に用いる用紙の背景に、「複写禁止」等を表す地紋パターンが目立たないドットの大きさで作成されており、これを複写した場合には「複写禁止」等の文字が顕在化して紙面に表われる。すなわち、地紋パターンは、原稿画像においてはそれほど目立たず、原稿画像に含まれている情報の判読等に支障を及ぼさないが、地紋パターンが埋め込まれた原稿画像が複写されると、「複写禁止」等のメッセージが浮かび上がり、その複写物が複写禁止の機密書類であったことが一目瞭然となり、心理的に、複写に対する規制力を生じさせることができる。
【０００８】
なお、本願出願人により、文書画像の背景に地紋パターンを埋め込み、読み取った原稿画像から検知した地紋パターンが、所定の地紋パターンと同一の場合には、印刷出力を禁止する技術も提案されている。この技術では、原稿画像の画像データに含まれる背景画像に埋め込まれた地紋パターンを画像データから検出し、検出した地紋パターンを、記憶装置に記憶されている比較の基準となる地紋パターンと比較し、その同一性を判定する。これにより、出力禁止画像を簡単に検出することができる。
【０００９】
【特許文献１】
特開平６−１２５４５９号
【特許文献２】
特開２００１−８６３３０号
【特許文献３】
特開平７−３６３１７号
【特許文献４】
特開平７−８７３０９号
【特許文献５】
特開平９−１６４７３９号
【特許文献６】
特開２００１−１９７２９７号
【００１０】
【発明が解決しようとする課題】
ところが、特許文献１や特許文献２の技術では、複写を禁止したい原稿（たとえば、原稿が紙幣であるときには造幣局のマーク等）のパターンデータを全て予め登録しておかなければならないため、紙幣や有価証券等の特殊原稿に対しては有効であるとしても、不特定多数の一般原稿、例えば機密文書に対して適用することが困難である。
【００１１】
また、特許文献３や特許文献４の技術では、「マル秘」等のような機密文書であることを示すマークの部分を紙などで覆い隠して画像読み取り動作が行なわれた場合には、当然のことながら機密文書であることを示すマークの存在を判定することができず、よって、複写を禁止すべき機密文書であってもその複写を防止することができないという問題がある。
【００１２】
さらに、特許文献５や特許文献６の地紋パターンを利用した技術では、心理的に、複写に対する規制力を生じさせることができるが、手法では、複写抑制効果が得られるに過ぎず、複写行為そのものを規制することができるわけではなく、文書内容の秘密が保てない。
【００１３】
前述した本願出願人による出願にかかる技術では、画像処理装置は画像を読み取る前の機密文書検知モードなどの初期パラメータ設定、出力禁止データが検知されたとき出力禁止状態の画像処理装置の内部情報及び外部入力情報が残っていないため、解除処理及び管理者権限を認証したときの情報が残らず、機密文書の複写未遂の事実、当該複写未遂があったときの内部情報（設定情報）や外部情報を発見できない等の問題がある。
【００１４】
本発明の目的は、機密文書が検知された場合、出力禁止状態の画像処理装置内部情報およびユーザインタフェースによる入力した外部情報を画像処理装置のログファイルに保存できる画像処理装置、画像処理方法、画像処理プログラム、および画像処理プログラムを記憶した記録媒体を提供することにある。
【００１５】
【課題を解決するための手段】
本発明の画像処理装置では、原稿画像の画像データを取得する原稿画像取得手段と、出力禁止用背景ドットパターンを記憶する背景ドットパターン記憶手段と、内部情報と外部からの入力情報とをログとして記録するログ記録手段と、前記原稿画像の画像データに含まれる背景画像に埋め込まれた背景ドットパターンを前記画像データから検出する背景ドットパターン検出手段と、前記背景ドットパターン検出手段により検出した背景ドットパターンを、前記背景ドットパターン記憶手段に記憶されている出力禁止用背景ドットパターンと比較し、両背景ドットパターンに同一性があるときに当該原稿画像が機密文書であると判定する機密文書判定手段とを備えたことを特徴とする。また、原稿画像取得手段は、原稿画像読取り手段とすることができ、通信手段とすることもできる。
【００１６】
本発明において背景ドットパターンは、画像読取り手段が認識できる大きさのドット（線のときは線幅）により構成される。すなわち、複写して残るかどうかは、ドットが複写機が認識できる大きさ大小によって決まる。
【００１７】
「背景ドットパターン」は、ドット配置などの特徴であり、たとえばいわゆる地紋パターンである。背景ドットパターンは、ドットが連続してなる線図であり、たとえば、散点状、格子状等、模様状のドットの群の繰り返しであり、文書（または、さらに線図）の背景すなわち、文字，線図部分を除き、原稿が白紙である場合には白で残された領域に一様に形成される。
【００１８】
また、ドットパターンが、文字（「複写禁止」），記号（「×」）の形状に配置されているときは、当該ドットが形成されている領域はメッセージ領域となる。なお、本発明においては、機密文書を作成するに際して、背景ドットパターンを印刷手段により文字等の印字と同時に形成してもよいし、予め背景ドットパターンが作成された用紙を用いてもよい。
【００１９】
本発明の画像処理装置では、原稿画像データの画像を出力する画像出力手段および当該画像出力手段からの画像出力を禁止する画像出力禁止手段を備え、前記機密文書判定手段による判定の結果、前記両背景ドットパターンに同一性があると判定されたときは、前記画像出力禁止手段は前記画像出力手段による出力処理を禁止することができる。
【００２０】
本発明の画像処理装置では、視覚警告手段を備え、前記機密文書判定手段が、前記原稿画像の画像データが前記画像出力手段による出力処理が禁止される画像データと判断したときは、前記視覚警告手段は、画像処理装置のユーザインタフェース、オペレーションパネル操作部に視覚警告メッセージを出力することができる。
【００２１】
本発明の画像処理装置では、音声警告手段を備え、前記機密文書判定手段が、前記原稿画像の画像データが前記画像出力手段による出力処理が禁止される画像データと判断したときは、前記音声警告手段は、画像処理装置のユーザインタフェースの音声出力部に音声警告メッセージを出力することができる。
【００２２】
本発明の画像処理装置では、前記ログ記録手段は、読取り時刻および／または画像処理装置の機番の内部情報を記録すること、原稿画像の縮小簡易画像を記録すること、ユーザインタフェースにより入力された用紙サイズ、変倍率、画像処理パラメータの少なくとも１つを含む外部入力情報を記録すること、ユーザインタフェースのオペレーションパネルから入力された機密文書検知モード設定、検知閾値の設定、機密文書が検知された場合にオペレーションパネルに警告メッセージを送るか否かの設定、ユーザインタフェースの音声出力部へ警告音を出力するか否かの設定の少なくとも１つを含む初期パラメータ設定情報を記録すること、画像出力禁止手段が画像出力手段からの出力を禁止した場合において、ユーザインタフェースのオペレーションパネルからの操作により出力禁止状態を解除したときは、画像処理装置をリセットしたか、画像を出力させたかの情報を記録すること、画像を読み取る前にユーザインタフェースのオペレーションパネルによる入力した機密文書検知モード設定、検知閾値の設定、機密文書が検知された場合にオペレーションパネルに警告メッセージを送るか否かの設定、ユーザインタフェースの音声出力部へ警告音を出力するか否かの設定の少なくとも１つを含む初期パラメータを設定するため、管理者権限を認証したときの認証情報を記録すること、出力禁止状態を解除するための管理者権限を認証したときの認証情報を記録すること、前記の認証情報はユーザインタフェースのオペレーションパネルによる入力したユーザＩＤとパスワードもしくは外部インタフェースによる接続したＩＣカードの認証情報、もしくは指紋、虹彩、音声、顔などのいずれかまあは全てのバイオメトリクス情報を用いて、管理者権限を認証する装置による認証した情報を記録することができる。
【００２３】
本発明の機密文書管理方法は、原稿画像の画像データを取得して、当該原稿画像の画像データに含まれる背景画像に埋め込まれた背景ドットパターンを、出力禁止用背景ドットパターンと比較して、両背景ドットパターンに同一性があるときに当該原稿画像が機密文書であると判定して当該原稿画像の出力を禁止するもので、内部情報と外部からの入力情報とをログとして記録することで機密文書情報の外部への漏洩を管理することを特徴とする。
【００２４】
本発明の機密文書管理方法では、前記ログは、読取り時刻および／または画像処理装置の機番の内部情報を含むこと、原稿画像の縮小簡易画像情報を含むこと、ユーザインタフェースにより入力された用紙サイズ、変倍率、画像処理パラメータの少なくとも１つを含む外部入力情報であること、ユーザインタフェースのオペレーションパネルから入力された機密文書検知モード設定、検知閾値の設定、機密文書が検知された場合にオペレーションパネルに警告メッセージを送るか否かの設定、ユーザインタフェースの音声出力部へ警告音を出力するか否かの設定の少なくとも１つを含む初期パラメータ設定情報であること、ユーザインタフェースのオペレーションパネルから入力された機密文書検知モード設定、検知閾値の設定、機密文書が検知された場合にオペレーションパネルに警告メッセージを送るか否かの設定、ユーザインタフェースの音声出力部へ警告音を出力するか否かの設定の少なくとも１つのを含む初期パラメータ設定情報であること、画像出力を禁止した場合において、ユーザインタフェースのオペレーションパネルからの操作により出力禁止状態を解除したときは、画像処理装置をリセットしたか、画像を出力させたかの情報であること、画像を読み取る前にユーザインタフェースのオペレーションパネルによる入力した機密文書検知モード設定、検知閾値の設定、機密文書が検知された場合にオペレーションパネルに警告メッセージを送るか否かの設定、ユーザインタフェースの音声出力部へ警告音を出力するか否かの設定の少なくとも１つを含む初期パラメータの設定をするため、管理者権限を認証したときの認証情報であること、出力禁止状態を解除するための管理者権限を認証したときの認証情報であること、前記の認証情報はユーザインタフェースのオペレーションパネルによる入力したユーザＩＤとパスワードもしくは外部インタフェースによる接続したＩＣカードの認証情報、もしくは指紋、虹彩、音声、顔などのいずれかまあは全てのバイオメトリクス情報を用いて、管理者権限を認証する装置による認証した情報であることを特徴とする。
【００２５】
本発明の機密文書管理プログラムは、原稿画像の画像データを取得しするステップ、当該原稿画像の画像データに含まれる背景画像に埋め込まれた背景ドットパターンを、出力禁止用背景ドットパターンと比較するステップ、両背景ドットパターンに同一性があるときに当該原稿画像が機密文書であると判定して当該原稿画像の出力を禁止するステップとからなり、内部情報と外部からの入力情報とをログとして記録するステップを有することを特徴とする。この画像処理プログラムは、所定の持ち運びできる記憶装置に記憶させることができる。
【００２６】
以上の処理によって、より確実なセキュリティ管理ができるようになる。
【００２７】
すなわち、本発明では、機密文書が検知された場合、出力禁止された状態に画像処理装置の内部情報およびユーザインタフェースによる入力した外部情報を画像処理装置の記録領域にあるログファイルに保存することができる。
【００２８】
また、内部情報としては、画像読み取る時刻、画像処理装置の機番、出力画像データの縮小サムネイルを画像処理装置のログファイルに保存し、外部情報としてはユーザインタフェースによる入力した用紙サイズ、変倍率、画像処理モード、画像読み取り前に設定した機密文書検知モードと設定した検知閾値、警告メッセージの出力方法などの初期パラメータ設定値、機密文書が検知された場合、出力禁止状態を解除処理の情報を画像処理装置のログファイルに保存することができる。
【００２９】
また、画像を読み取る前、機密文書検知モードなどの初期パラメータ設定及び出力禁止状態の解除をするための管理者情報認証情報を画像処理装置のログファイルに保存することもできる。
【００３０】
【発明の実施の形態】
本発明の実施形態を以下に説明する。
【００３１】
複写禁止原稿として、文書画像の背景を、目に見にくいドットパターンで埋め尽くし、プリントアウトした紙文書を図１に示す。図１では、文字画像の背景にドットが格子点状に配置されている。この格子は、本実施形態では、拡大図ＡおよびＢに示すように、径が大きいドットａと、径が小さいドットｂとにより構成されている。スキャナやコピー機が読み取ることができる最小ドットの径は、ドットｂの径よりは大きく、ドットａの径よりは小さくなるように設定されている。
【００３２】
図１において、ベース領域をドットａにより構成し、メッセージ領域をドットｂにより構成したとする。メッセージ領域には、ドットａによるメッセージ（ここでは、「複写禁止」）が記載されており、図１の文書を複写機によりコピーすると、図２（Ａ）に示すようにコピー後の紙文書に、白抜きの「複写禁止」の文字が浮かび上がる。ベース領域のドットを小さいドットで構成し、メッセージ領域のドットを大きいドットで構成した場合には、図２（Ｂ）に示すように、黒字の「複写禁止」の文字が浮かび上がる。以下、文書画像の背景に埋め込んだ背景ドットパターンを「地紋パターン」と呼ぶ。なお、メッセージは「複写禁止」、「日付」、「文書番号」などの文字、会社のロゴなどを設計することができる。
【００３３】
地紋の特徴は、ドット、線、模様等の配列で表すことができる。地紋をドットで表す場合には、特徴量は、配置方法、ドット密度、ドット径、ドット色等で表すことができる。また、地紋を直線で表した場合の特徴量は線の幅、線密度で表すことができる。ここで、地紋ベース領域の単位面積内のドット数、つまりドット密度を地紋ベース領域の特徴量とする。同じようにメッセージ領域では、ドット密度を地紋メッセージ領域の特徴量とする。なお、本発明では、文書画像の「目にみにくいドットパターン」、すなわち地紋パターンを、２種類のドットによりベース領域とメッセージ領域に分けて構成しているが、地紋をベース領域とメッセージ領域とに分けて構成することに限定はされない。たとえば、１種類のドットパターン（例えば「＋」，「−」等）により地紋を構成した場合であっても適用できる。
【００３４】
図３は、本実施形態の画像処理装置１Ａを示す図である。図３において、画像処理装置１Ａは、スキャナ１０１と、フィルタ処理部１０２と、変倍処理部１０３と、γ補正部１０４と、階調処理部１０５と、セレクタ１０６と、地紋パターン検出部１０７と、複写禁止文書判定部１０８と、プロッタ１０９と、システムコントローラ１１０と、音声処理部１１１と、オペレーションパネル操作部１１２とからなる。
【００３５】
ベース領域、メッセージ領域はそれぞれを１つもしくは複数個の特徴量で表わすことができる、この特徴量と比較される基準の特徴量は、予めシステムコントローラ１１０の図示しないメモリ（ＲＯＭあるいはＲＡＭ）に保存しておく。ここで、特徴量は、ベース領域とメッセージ領域のそれぞれの１つまたは複数のドット密度値とする。
【００３６】
スキャナ１０１により原稿画像が読み取られると、当該読取り画像にかかる画像データは、フィルタ処理部１０２に順次送られるとともに、地紋パターン検出部１０７での地紋の検出が行われる。
【００３７】
フィルタ処理部１０２において処理された画像データは変倍処理部１０３で適宜の倍率に変倍され、γ処理部１０４でγ補正がなされた後に階調処理部１０５において階調処理がなされセレクタ１０６に送られる。
【００３８】
一方、地紋パターン検出部１０７で原稿画像の地紋パターンが抽出される。図４に地紋パターン検出部１０７の一例を示す。地紋パターン検出部１０７は、黒ドット検出部１０７１と、黒ドット密度判断部１０７２と、ベース領域ドット数判断部１７０３と、メッセージ領域ドット数判断部１７０４とを備えている。地紋パターン検出部１０７では、地紋のベース領域とメッセージ領域の特徴量（ドット密度値）を検出する。この地紋パターンは、複写禁止文書判定部１０８で、基準の地紋パターンと比較され、原稿画像が複写禁止文書であるか否かの判定がなされる。すなわち、検出したドット密度値とシステムコントローラ１１０の図示しないメモリのドット密度値と比較し、両者の差が設定した閾値より小さい場合黒いドットの数を累積する。ドットの数は設定した閾値より大きい場合、それぞれベース領域が存在、もしくはメッセージ領域が存在、もしくは両方存在と判断する。地紋のベース領域が存在、もしくはメッセージ領域が存在、もしくは両方存在と判断されるとき、予め決めた基準によって、複写禁止文書であるかどうかを判別する。例えば、地紋のベース領域が存在、もしくはメッセージ領域が存在する場合、複写禁止文書と判断する。あるいは地紋のベース領域とメッセージ領域は同時に存在する場合複写禁止文書と判断するなどの判断基準を設定できる。設定した基準に従って、複写禁止文書であるかどうかを判別する。複写禁止文書として判別された場合、セレクタ１０６に複写禁止文書が検出されたことを送信する。セレクタ１０６は複写禁止文書検知後の処理を選択する。普通文書と判断された場合、セレクタ１０６は通常処理の選択を行い、プロッタ１０９による印刷がなされる。複写禁止文書検知がなされても、複写禁止文書検知後の処理が選択されていない場合には、プロッタ１０９により印刷がなされる。複写禁止文書検知後の処理が選択されている場合には、セレクタ１０６は、プロッタ１０９の出力禁止状態になり、複写機が止められるか、画像の代わりに白い紙が出力される。また、ユーザインタフェースのオペレーションパネル操作部１１２には、例えば、「機密文書が複写されました。」といったメッセージが出力される。また、ユーザインタフェースの音声出力装置１１１に警告音が送られ、たとえば、音声出力装置１１１は「機密文書が複写されました。」の警告音を発生する。
【００３９】
原稿画像を読み取る前、機密文書検知モードなどの初期パラメータを設定するためには、操作者は管理者としての権限を持つ必要がある。また、機密文書であることが検知された後に、プロッタ１０９の出力が禁止された状態で、オペレーションパネル操作部１１２から操作するためにも管理者権限を持つ必要がある。オペレーションパネル操作部１１２からユーザＩＤとパスワードを入力し、それぞれと画像処理装置のメモリ領域に登録されたユーザＩＤとパスワードが一致する場合、管理者権限が認証され、オペレーションパネル操作部から入力操作ができるようになる。
【００４０】
以上の管理者権限を認証するため入力したユーザＩＤとパスワードを画像処理装置のログファイルに保存する。
【００４１】
管理者権限が認証された場合、機密文書検知処理するにはオペレーションパネル操作部１１２により機密文書検知モードを設定する。設定したモードはシステムコントローラ１１０のメモリに保存され、機密文書検知処理が行われる。機密文書検知をしないモードが設定された場合、複写禁止文書検知処理をせずに、通常の複写をする。また、機密文書検知するときの初期パラメータとして、検知閾値を設定する。閾値を厳しく設定する場合、より厳しく検知し、検出漏れが少なくする。閾値をゆるく設定すると誤検出が少なくなる。また、検出後の出力モードにも設定できる。オペレーションパネル操作部にメッセージを出力か音声出力部に警告音を出力する。初期設定のデータをシステムコントローラ１１０のメモリに保存される。上記の機密文書検知モードなどの初期パラメータを画像処理装置のログファイルに保存する。
【００４２】
機密文書が検知された場合、画像データが縮小されたサムネル画像を画像処理装置のログファイルに保存する。管理者権限が承認されたとき、オペレーションパネル操作部１１２で出力禁止の状態確認をすることができる。具体的には、画像データが縮小されたサムネル画像として、オペレーションパネに表示され、画像の内容を確認することができる。出力禁止された状態の画像処理装置１Ａの内部と外部入力情報を記録するログ内容を確認することもできるし、オペレーションパネル操作部１１２によりログの内容をパネルに表示させることもできる。内部情報として読取り時刻、画像処理装置の機番などが挙げられる。外部情報は複写したときの用紙サイズ、画像処理モード設定などのモード設定情報であり、これらを確認することもでき、必要であれば、出力紙にログファイルを出力することもできる。
【００４３】
管理者権限が認証された場合、出力禁止された状態を解除することができる。停止した画像処理装置がリセットされるときは、通常の処理ができるようにしたか否かを画像処理装置のログファイルに保存する。
【００４４】
管理者権限が認証された場合、出力禁止された状態を解除し、出力禁止画像データを出力させたかどうかを画像処理装置のログファイルに保存することができる。
【００４５】
図５は、外部ＩＣカードインタフェース部１１３によってＩＣカードの内容と画像処理装置のメモリ内に保存した認証情報を用いて、管理者権限を認証することができる画像処理装置１Ｂを示している。ＩＣカードによって認証した結果はオペレーションパネル操作部１１２に送られる。管理者権限が認証された場合、オペレーションパネル操作部１１２による操作ができる。ＩＣカードによる認証した内容は画像処理装置１Ｂのログファイルに保存される。
【００４６】
図６は、管理者権限を認証するための管理者権限認証部１１３を備えた画像処理装置１Ｃを示している。外部インタフェース部によって画像処理装置に接続する管理者権限認証処理部１１４で認証する。外部インタフェース部には、指紋、虹彩、顔、音声などのバイオメトリクス情報を認識する装置を接続することができる。あらかじめバイオメトリクスデータを管理者権限認証部１１４に登録し、一つ若しくは複数の特徴を用いて、登録データにより管理者権限認証をする。認証した結果データをオペレーションパネル操作部に送る。管理者権限が認証された場合、オペレーションパネ操作部１１２による操作ができる。管理者権限認証した結果は、画像処理装置１Ｃのログファイルに保存する。
【００４７】
図７は、複写機の内部で、システムコントローラのＣＰＵ２０４１およびメモリ（ＲＯＭ２０４２，ＲＡＭ２０４３）を利用して、ソフトウェアで複写禁止文書検出処理を行う画像処理装置１Ｄを示している。機密文書検知処理の流れを図８に示す。
【００４８】
まず、スキャナ２０１により画像を入力する（Ｓ１０１）。入力した画像の一部をＲＡＭ２０４３にコピーする（Ｓ１０２）。パターンマッチングにより黒ドットを検出し（Ｓ１０３）、検出したある面積内ドットの密度を計算する（Ｓ１０４）。そして、計算したドットの密度と保存した地紋ベース領域の密度とを比較し（Ｓ１０５）、計算したドットの密度が閾値より小さい場合、つまりベース領域のドット密度と同じ場合、ベース領域のドット数を累積する（Ｓ１０６）。累積したドットの数は設定した閾値より大きい場合、地紋ベース領域が存在と判断する（Ｓ１０８）。
【００４９】
同じように計算したドットの密度と保存した地紋メッセージ領域の密度とを比較し（Ｓ１０９）、閾値より小さい場合、つまりメッセージ領域のドット密度と同じ場合、メッセージ領域のドット数を累積する（Ｓ１１０）。累積したドットの数は設定した閾値より大きい場合、地紋メッセージ領域が存在と判断する（Ｓ１１２）。
【００５０】
ベース領域やメッセージ領域が存在する場合には、予め決めた判断基準によって複写禁止文書であるかどうかを判断する。例えば、地紋ベース領域、もしくはメッセージ領域が存在する場合、複写禁止文書と判断する基準と地紋ベース領域、メッセージ領域は同時に存在する場合、複写禁止文書と判断する基準を選択ができる（Ｓ１１３）。後者はより厳しく設定した基準である。
【００５１】
複写禁止文書検知が検知された場合システムコントローラ２０４は出力禁止処理を行い、出力禁止状態になる。複写機が止めるか、出力が画像の代わりに白い紙がプロッタ２０３から出力される。
【００５２】
またシステムコントローラ２０４はユーザインタフェースのオペレーションパネル操作部２０６にメッセージが出力される。例えば、「機密文書が複写されました。」を表示する。システムコントローラ２０４はユーザインタフェースの音声出力装置（図７には図示していない）に警告音が送る。例えば、「機密文書が複写されました。」の警告音を発生する。
【００５３】
画像読み取る前、機密文書検知モードなどの初期パラメータを設定するためには、操作者は管理者としての権限を持つ必要である。また機密文書が検知された後、の出力禁止された状態ではオペレーションパネル操作部２０６から操作するためにも管理者権限を持つ必要がある。管理者権限を認証するには、図７に示したようにオペレーションパネル操作部２０６からユーザＩＤとパスワードを入力し、それぞれと画像処理装置のメモリ領域に登録されたユーザＩＤとパスワードが一致する場合、管理者権限が認証され、オペレーションパネル操作部２０６から入力操作ができるようになる。
上記の管理者権限を認証するため入力したユーザＩＤとパスワードを画像処理装置１Ｄのログファイルに保存する。
【００５４】
管理者権限が認証された場合、機密文書検知処理するにはオペレーションパネル操作部２０６により機密文書検知モードを設定する。設定したモードをシステムコントローラ２０４のメモリに保存され、機密文書検知処理を行う。機密文書検知しないモードが設定された場合、複写禁止文書検知処理をしないで、通常の複写をする。また、機密文書検知するときの初期パラメータとして、検知閾値を設定する。閾値を厳しく設定する場合、より厳しく検知し、検出漏れが少なくする。閾値をゆるく設定すると誤検出が少なくなる。また、検出後の出力モードにも設定できる。オペレーションパネル操作部２０６にメッセージを出力するか、音声出力部２０８に警告音を出力する。初期設定のデータを画像処理装置のメモリ領域に保存される。
【００５５】
上記の機密文書検知モードなどの初期パラメータを画像処理装置１Ｄのログファイルに保存する。
【００５６】
機密文書が検知され場合、画像データが縮小されたサムネル画像を画像処理装置のログファイルに保存することができる。管理者権限が承認されたとき、オペレーションパネル操作部２０６で出力禁止の状態確認をする。まず出力禁止された画像データを確認する。画像データが縮小されたサムネル画像として、オペレーションパネル操作部２０６に表示され、画像の内容を確認する。
【００５７】
出力禁止された状態の画像処理装置１Ｄの内部と外部入力情報を記録するログ内容を確認することができ、オペレーションパネル操作部２０６によりログの内容を表示させることができる。内部情報として読取り時刻、画像処理装置の機番など。外部情報は複写したときの用紙サイズ、画像処理モード設定などのモード設定情報を確認することもでき、必要であれば、出力紙にログファイルを出力することもできる。
【００５８】
管理者権限が認証された場合、出力禁止された状態を解除することができる。止めた画像処理装置をリセットし、通常の処理ができるようにしたかどうかを画像処理装置のログファイルに保存することができる。
【００５９】
管理者権限が認証された場合、出力禁止された状態を解除し、出力禁止画像データを出力させるたかどうかを画像処理装置１Ｄのログに保存する。図７に示したように複写機の内部で、システムコントローラのＣＰＵ及びメモリを利用して、ソフトウェアで複写禁止文書検出処理を行うこともできる。
【００６０】
また、図９の画像処理装置１Ｅに示すように、画像処理装置１Ｅの外部ＩＣカードインタフェース部２０７によってＩＣカードの内容と画像処理装置のメモリ内に保存した認証情報を用いて、管理者権限を認証することもできる。管理者権限が認証された場合、オペレーションパネル操作部２０６による操作ができる。ＩＣカードによる認証した内容は、画像処理装置１Ｅのログファイルに保存する。この場合には、システムコントローラ２０４のＣＰＵ２０４１及びメモリを利用して、ソフトウェアで複写禁止文書検出処理を行うことができる。
【００６１】
図１０の画像処理装置１Ｆに示すように、外部インタフェース介して管理者権限認証処理部２０９で認証することができる。指紋、虹彩、顔、音声などのバイオメトリクス情報を認識する装置をつなげる。あらかじめバイオメトリクスデータを管理者権限認証部２０９に登録し、一つ若しくは複数の特徴を用いて、登録データにより管理者権限認証をする。認証した結果データをオペレーションパネル操作部に送る。管理者権限が認証された場合、オペレーションパネル操作部２０６による操作ができる。管理者権限認証した結果を画像処理装置１Ｆのログファイルに保存する。
【００６２】
【発明の効果】
地紋が埋め込まれた紙文書を複写するとき、メッセージ領域が浮かび上がる機能を持つ地紋画像を自動検出することができる。地紋を識別することにより、人間の目で見る確認ではなく、機械が自動的に複写禁止文書の存在が検知でき、複写禁止の効果が得られる。
【００６３】
また、機密文書が検知された場合、出力禁止状態の画像処理装置の内部情報とユーザインタフェースによる入力した外部情報を画像処理装置のログファイルに保存することで、管理者は画像処理装置のそのときの情報を確認でき、より確実なセキュリティ管理ができる。
【図面の簡単な説明】
【図１】文書画像の背景を、目に見にくいドットパターンで埋め尽くし、プリントアウトした紙文書を示す図である。
【図２】（Ａ）はコピー後の紙文書に白抜きの「複写禁止」の文字が浮かび上がる様子を示す図、（Ｂ）はベース領域のドットを小さいドットで構成し、同じく黒字の「複写禁止」の文字が浮かび上がる様子を示す図である。
【図３】本発明の実施形態の画像処理装置を示す図である。
【図４】図３の画像処理装置における地紋パターン検出部の一例を示す図である。
【図５】本発明の実施形態の他の画像処理装置を示す図である。
【図６】本発明の実施形態の他の画像処理装置を示す図である。
【図７】本発明の実施形態の他の画像処理装置を示す図である。
【図８】機密文書検知処理の流れを示すフロー図である。
【図９】本発明の実施形態の他の画像処理装置を示す図である。
【図１０】本発明の実施形態の他の画像処理装置を示す図である。
【符号の説明】
１Ａ〜１Ｆ  画像処理装置
１０１  スキャナ
１０２  フィルタ処理部
１０３  変倍処理部
１０４γ補正部
１０５  階調処理部
１０６  セレクタ
１０７  地紋パターン検出部
１０８  複写禁止文書判定部
１０９  プロッタ
１１０  システムコントローラ
１１１  音声処理部
１１２  オペレーションパネル操作部１１２とからなる。
１１３  外部ＩＣカードインタフェース部
１１４  管理者権限認証処理部
２０１  スキャナ
２０２  画像処理部
２０３  プロッタ
２０４  システムコントローラ
２０６  オペレーションパネル操作部
２０７  ＩＣカードインタフェース部
２０８  音声出力部
【図１】
2004201068.tif 000003
【図２】
2004201068.tif 000004
【図３】
2004201068.tif 000005
【図４】
2004201068.tif 000006
【図５】
2004201068.tif 000007
【図６】
2004201068.tif 000008
【図７】
2004201068.tif 000009
【図８】
2004201068.tif 000010
【図９】
2004201068.tif 000011
【図１０】
2004201068.tif 000012